【事件の表示】
　昭和６０年特許願第１０５６８３号「カラービデオ内視鏡装置」拒絶査定に対する審判事件〔（平成７年９月１３日出願公告、特公平７−８５１３０）、特許請求の範囲に記載された発明の数（１）〕について、次のとおり審決する。
【結論】
　原査定を取り消す。
　本願の発明は、特許をすべきものとする。
【理由】
１．手続の経緯・本願発明
　本願は昭和６０年５月１７日（米国における出願に基づくパリ条約による優先日：昭和５９年５月１８日）の出願であって、その特許請求の範囲第１項に記載された発明の要旨は、平成１１年１１月１８日付けで補正された特許請求の範囲第１項に記載された以下のとおりのもと認められる。
　「空洞内を照明するための光を導くライトガイドおよびレンズアッセンブリによって結像された被写体像を電気信号に変換するイメージセンサを挿入部先端内に備えた内視鏡と、
　前記内視鏡に電気的に接続され前記イメージセンサからの出力信号を変調するイメージセンサ出力信号変調手段を含み、前記電気信号を信号処理してモニタに被写体画像を表示せしめる制御ユニットと
　からなるカラービデオ内視鏡装置において、
　内視鏡独自のパラメータ値としてイメージセンサのゲイン特性値と下記（ａ）〜（ｄ）のいずれか１つ
　（ａ）イメージセンサのフレア特性値
　（ｂ）イメージセンサの黒レベル特性値
　（ｃ）イメージセンサに結像する像の大きさを示す特性値
　（ｄ）イメージセンサに結像する像の位置を示す特性値
を含む少なくとも２以上のパラメータ値を示す信号を出力する補正情報出力手段を内視鏡側に設けると共に、前記補正情報出力手段からの信号に基づき前記電気信号の信号処理の補正を行なう信号処理補正手段を制御ユニット側に設けたことを特徴とするカラービデオ内視鏡装置。」（以下、「本願発明」という。）
２．引用例
　これに対し、当審が平成１１年７月２７日付で通知した拒絶理由通知書において引用した刊行物１、２には、以下の事項が記載されている。
＜刊行物１＞　特開昭５７−７８８３４号公報
［記載事項１−１］（第２頁左上欄第１行目〜同頁右上欄第１４行目、第１図）
　「第１図はその概略構成図である。体腔内に挿入される可撓管１０は、主としてイメージガイド１２、ライトガイド１４からなる。可撓管１０の接眼部は電源も含む光源部１６にコネクタ１７を介して接続され、可撓管１０は光源部１６に着脱自在になっている。光源部１６内にはハロゲンランプ１８が設けられハロゲンランプ１８の発光はライトガイド１４を介して可撓管１０の対物部に導かれる。イメージガイド１２の対物端には対物レンズ２０が設けられる。……撮像素子２４の出力信号は画像補正部２６へ供給される。一方、可撓管１０と光源部１６の接続コネクタ１７には、可撓管の種類を判別するスコープ判別部２８設けられ、この出力信号も画像補正部２６へ供給される。……画像補正部２６の出力信号はＣＲＴ等の画像表示部３６に接続される。」
［記載事項１−２］（第３頁左下欄第１行〜同欄第１４行、第７図）
　「次にこの発明の他の実施例を説明する。以下の実施例において第１の実施例と同一部分は図面において同一参照番号を附してその説明は省略する。第７図は第２の実施例の概略構成図である。第１の実施例と異なる点は、可撓管１０の構成と画像補正部２６の位置である。可撓管１０はイメージガイドを有さず、対物レンズ２０の次にすぐ撮像素子２４が設けられる。撮像素子２４の出力する画像信号がリード線を介して介して光源１６内に設けられる画像補正部２６に供給される。動作は第１の実施例と同様である。この第２の実施例では可撓管１０の内部にはイメージガイドがないので可撓管１０を細くすることができる。」
［記載事項１−３］（第２頁右上欄第１行〜第３頁右上欄第１行、第２，３，４図）
　「第２図は画像補正部２６の詳細なブロック図である。撮像素子２４の出力する画像信号がＡ／Ｄ変換器３８を介してメモリ４０に供給される。メモリ４０の出力信号が中央処理装置（ＣＰＵ）４２に供給される。ＣＰＵ４２にはリードオンリメモリ（ＲＯＭ）４４、ランダムアクセスメモリ（ＲＡＭ）４６が接続される。たとえば、キーボード等の情報設定部４８がＣＰＵ４２に拡大指示信号および輝度指示信号を供給する。ＣＰＵ４２の出力信号はＤ／Ａ変換器５０を介して画像表示部２６へ供給される。この一実施例の動作を第３図に示したフローチャートを参照して説明する。……Ａ／Ｄ変換された画像信号はメモリ４０に記憶される。ここで、撮像素子２４は第４図（ａ）に示すように撮像面を等間隔のメッシュに分割して画素をつくる。しかし、対物レンズ２０として広角レンズを使ったときは、同図（ｂ）に示すように撮像面上では、実際の像が歪曲して写ってしまう。この歪曲の場合は対物レンズ２０の視野角によって異なる。また、一般的に内視鏡は被検体によって、その可撓管１０を取換えることあり、可撓管１０の種類に応じた判別信号がスコープ判別部２８からＣＰＵ４２に供給される。ＲＯＭ４４は歪曲補正のためのプログラムを記憶していて、ＣＰＵ４２スコープ判別信号に応じた補正プログラムをＲＯＭ４４から読出し、メモリ４０内のデータを補正する。……このように、ＣＰＵ４２は画像信号の位置を一度中心部に圧縮して実際の画像に対応する画素の位置に補正した後、画像信号をＤ／Ａ変換器５０を介して表示部３６へ供給する。そのため、表示部３６に表示される像は対物レンズ２０による歪曲が補正されている。」
［記載事項１−４］（第３頁右上欄第１行〜同欄末行、第２，３，４図）
　「さらに、この実施例では表示部３６で表示可能な輝度の上限ｍａｘと下限ｍｉｎを情報設定部４４の出力する輝度設定信号によって決められている。ＣＰＵ４２の出力する各画素の光強度が第６図に実線で示すようにｍａｘからｍｉｎまでの範囲を超えると、表示像は明るい部分がにじみ、暗い部分がぼやえて見づらくなる。そのため、ＣＰＵ４２は各画素の輝度を同図（ｂ）に破線で示すようにｍａｘからｍｉｎまでの範囲におさまるように補正する。」
　してみると刊行物１には、「体腔内を照明するための光を導くライトガイドおよび対物レンズによって結像された被写体像を電気信号に変換する撮像素子を挿入部先端内に備えた可撓管と、前記可撓管に電気的に接続され前記撮像素子からの出力信号を処理する画像補正部を含み、前記電気信号を信号処理して画像表示部に被写体画像を表示せしめるユニットとからなる内視鏡装置において、可撓管独自のパラメータ値として歪曲特性値を含むパラメータ値を判別させるための手段を可撓管に設けると共に、スコープ判別部からの信号に基づき前記電気信号の信号処理の補正を行なう手段をユニット側に設けたことを特徴とする内視鏡装置。」なる発明（以下、「引用発明」という。）が記載されている。
＜刊行物２＞　特開昭５９−６９０５５号公報
［記載事項２−１］（第１頁右下欄第１４行〜同欄第１６行）
　「この発明は、内視鏡電子カメラに固有の配光むら等に起因するシェージングを補正する装置に関する。」
［記載事項２−２］（第３頁右上欄第９行〜同頁右下欄第１１行、第５図）
　「カメラヘッド３０は、被写体光学像に対応した映像信号Ｅ３０を出力する。映像信号Ｅ３０は、映像プロセサを含むカメラコントロールユニット（ＣＣＵ）３２に与えられる。ＣＣＵ３２の映像プロセサは、映像信号クランプ回路、ブランキング信号混合回路ペデスタル調節回路、映像白ピーククリップ回路、白圧縮回路、ガンマ補正回路等を含む。ＣＣＵ３２はさらに、シェージング補正回路も内装している。これらのＣＣＵ３２の内部回路は全て従来技術により構成できる。所定の信号処理のあと、ＣＣＵ３２は、映像信号Ｅ３０に対応したビデオ信号出力Ｅ３２を、モニタ装置３４に与える。なお、ＣＣＵ３２のシェージング補正回路は、カメラヘッド３０自体に起因するシェージングの補正については、すでに行っているものとする。……カメラヘッド３０に組合わされる内視鏡２０は、その内視鏡の種類に固有の内視鏡品種コードＥ２０をもっている。……この品種コードＥ２０は内視鏡品種コード検出器４２で解読され、所定のアドレス信号Ｅ４２に変換される。このアドレス信号Ｅ４２は、シェージング補正信号発生回路４０内のＲＯＭ（もしくはＲＡＭ）に与えられる。……このＲＯＭは、アドレス信号Ｅ４２により指定されたメモリロケーションから、内視鏡品種コードＥ２０に対応する配光パターンデータを出力する。こうして出力されたデータによって、配光むらに起因するシェージングの振幅成分と逆相の補正信号Ｅ４０が、ＣＣＵ３２内のシェージング補正回路に与えられる。以上の動作により、内視鏡２０の種類が変わっても、シェージングは発生しなくなる。」
３対比・判断
　そこで本願発明と引用発明とを比較するに、引用発明における、画像表示部に画像を表示するようにした撮像素子を用いた内視鏡において、カラービデオ信号を利用することはこの出願前普通に行われていたこと（必要であれば、特開昭５７−７５６３０号公報参照）であり、引用発明のものもカラービデオ内視鏡を含むものである。
　また、引用発明における
▲１▼「体腔」、
▲２▼「対物レンズ」及び
▲３▼「撮像素子」、
▲４▼「可撓管」、
▲５▼「画像補正部」、
▲６▼「画像表示部」、
▲７▼「可撓管独自のパラメータ値として歪曲特性値を含むパラメータ値を判別させるための手段」及び
▲８▼「スコープ判別部からの信号」
は、本願発明における
▲１▼「空洞」、
▲２▼「レンズアッセンブリ」及び
▲３▼「イメージセンサ」、
▲４▼「内視鏡」、
▲５▼「信号処理補正手段」、
▲６▼「モニタ」、
▲７▼「補正情報出力手段」及び
▲８▼「補正情報出力手段からの信号」、
に相当する。
　してみると、両者は、「空洞内を照明するための光を導くライトガイドおよびレンズアッセンブリによって結像された被写体像を電気信号に変換するイメージセンサを挿入部先端内に備えた内視鏡と、前記内視鏡に電気的に接続され前記イメージセンサからの出力信号を変調するイメージセンサ出力信号変調手段を含み、前記電気信号を信号処理してモニタに被写体画像を表示せしめる制御ユニットとからなるカラービデオ内視鏡装置において、内視鏡独自のパラメータ値を示す信号を出力する補正情報出力手段を内視鏡側に設けると共に、前記補正情報出力手段からの信号に基づき前記電気信号の信号処理の補正を行なう信号処理補正手段を制御ユニット側に設けたことを特徴とするカラービデオ内視鏡装置。」の点で一致する。
　そして、本願発明は内視鏡独自のパラメータとして「イメージセンサのゲイン特性値と下記（ａ）〜（ｄ）のいずれか１つ
　（ａ）イメージセンサのフレア特性値
　（ｂ）イメージセンサの黒レベル特性値
　（ｃ）イメージセンサに結像する像の大きさを示す特性値
　（ｄ）イメージセンサに結像する像の位置を示す特性値
を含む少なくとも２以上のパラメータ値」を選択したのに対して、引用発明では、そのパラメータが内視鏡の歪曲特性である点で両者は相違する。
　そこで、前記相違について検討するに、刊行物２には、「シェージング補正のため、内視鏡品種コードＥ２０に対応する配光パターンデータを出力する。こうして出力されたデータによって、配光むらに起因するシェージングの振幅成分と逆相の補正信号Ｅ４０が、ＣＣＵ３２内のシェージング補正回路に与えらること」、すなわちイメージセンサの画素に対応してゲインを調整することが示されている。そして、引用発明においても［記載事項１−４］に記載されているとおりゲインの調整をしているのであるから、刊行物２のように、内視鏡の種類に応じたゲイン調整を、引用発明のパラメータの１つとすること自体は当業者が容易に想到できた事項である。
　しかしながら、他のパラメータとして（ａ）イメージセンサのフレア特性値、（ｂ）イメージセンサの黒レベル特性値、（ｃ）イメージセンサに結像する像の大きさを示す特性値、（ｄ）イメージセンサに結像する像の位置のいずれか１つを選択することは、刊行物１，２に記載されておらず、また、それらの記載から当業者が容易に想到できるものでもない。そして、前記２つのパラメータを選択することによって、明細書記載の効果を奏するものと認められる。
４．むすび
　以上のとおり、本願発明は刊行物１，２に記載された発明であるとも、また、刊行物１，２に記載された発明に基づいて当業者が容易に発明できたものであるとも認められず、他に本願発明を拒絶すべき理由を見いだすことができない。
　よって、結論のとおり審決する。